(57)【要約】【課題】確実に使用者に通知する通知装置を提供する。【解決手段】弧形状のアーム部１１と、アーム部１１が使用者ｕ３の首ｕ３１に掛けられた状態で使用者ｕ３の胸部ｕ３２付近に位置するようにアーム部１１の一端部１１１に設けられ、受信結果に応じた振動により通知する振動部１２２と、アーム部１１が使用者ｕ３の首ｕ３１に掛けられた状態で使用者ｕ３の音声を入力するマイク１４と、アーム部１１の一端部１１１に設けられ、アーム部１１が使用者ｕ３の首ｕ３１に掛けられた状態で使用者ｕ３の視界内ｕ３３にマイク１４を保持し、振動部１２２の振動に応じてマイク１４を振動させるマイク保持部１３とを設ける。【選択図】  図４
2004253962.tif 000002
【特許請求の範囲】
【請求項１】
使用者に振動により通知を行う通知装置であって、
弧形状のアーム部と、
前記アーム部が前記使用者の首に掛けられた状態で前記使用者の胸部に位置するように前記アーム部に設けられ、前記振動により前記通知を行う振動部と
を有する通知装置。
【請求項２】
前記アーム部が前記使用者の首に掛けられた状態で前記使用者の音声を入力するマイクと、
前記アーム部に設けられ、前記アーム部が前記使用者の首に掛けられた状態で前記使用者の視界内に前記マイクを保持し、前記振動部の振動に応じて前記マイクを振動させるマイク保持部とを有する
請求項１に記載の通知装置。
【発明の詳細な説明】
【０００１】
【発明の属する技術分野】
本発明は、例えば、使用者に振動により通知を行う通知装置に関するものである。
【０００２】
【従来の技術】
従来、例えば、無線電話の着信の通知を行う無線電話用ヘッドセットが知られている（例えば、特許文献１参照。）。
【０００３】
【特許文献１】
特開２００２−５７７８６号公報（第１図）
【０００４】
【発明が解決しようとする課題】
従来のヘッドセットでは、例えば無線電話の着信を通知する際に、ブザー等で通知を行い、着信を使用者に通知している。
しかし、例えば、騒音が激しい環境中において、使用者はブザーを感知することが困難な場合がある。
このため、確実に着信を使用者に通知する通知装置が望まれている。
【０００５】
本発明は、かかる事情に鑑みてなされたものであり、その目的は、確実に使用者に通知する通知装置を提供することにある。
【０００６】
【課題を解決するための手段】
前記目的を達成するために、本発明の通知装置は、使用者に振動により通知を行う通知装置であって、弧形状のアーム部と、前記アーム部が前記使用者の首に掛けられた状態で前記使用者の胸部に位置するように前記アーム部に設けられ、前記振動により前記通知を行う振動部とを有する。
【０００７】
本発明によれば、振動部では、アーム部が使用者の首に掛けられた状態で使用者の胸部に位置するようにアーム部に設けられ、振動により通知を行う。
【０００８】
【発明の実施の形態】
図１は、本発明の一実施形態に係る通知装置を示す全体図である。
本実施形態に係る通知装置１は、例えば図１に示すように、コネクタ１０１を介して無線装置２に接続される。
通知装置１は、無線装置２からの着信を示す信号に応じて振動し、使用者に着信を通知する。
【０００９】
図２は、図１に示した通知装置および無線装置の機能ブロック図である。
無線装置２は、図２に示すように、例えば無線部２１、表示部２２、操作部２３、および制御部２４を有する。
無線部２１、表示部２２、および操作部２３は、制御部２４に接続されている。
【００１０】
無線部２１は、制御部２４の制御により、アンテナ２１１を介して不図示の通信先の通信装置と無線通信を行う。
表示部２２は、制御部２４の制御により、無線通信に関する所定の表示、例えば通信状態や所定の設定等を示す表示を行う。
操作部２３は、例えば使用者により操作され、無線通信に関する所定の操作が行われ、操作に応じた信号を制御部２４に出力する。
【００１１】
図３は、図１に示した通知装置および無線装置の機能ブロック図である。
制御部２４は、図３に示すように、記憶部２４１、処理部２４２、入力部２４３、および出力部２４４を有する。
記憶部２４１、入力部２４３、および出力部２４４は、処理部２４２に接続されている。
【００１２】
記憶部２４１は、通信に関する所定の処理手順を含むプログラムや所定のパラメータ等を記憶し、また処理部２４２のワークスペースとしても用いられる。
処理部２４２は、記憶部２４１をワークスペースとして、例えば記憶部２４１に記憶されているプログラムを読み出し、処理手順に従って実行する。
【００１３】
入力部２４３は、コネクタ１０１およびコネクタ２０１を介して通知装置１から出力された信号を、処理部２４２に出力する。
出力部２４４は、処理部２４２から出力された信号を、コネクタ２０１およびコネクタ１０１を介して、通知装置１に出力する。
【００１４】
本実施形態に係る通知装置は、図１に示すように、アーム部１１、本体部ケース１２、マイク保持部１３、マイク１４、イヤホン１５、およびコネクタ１０１を有する。
アーム部１１は本発明に係るアーム部に相当し、マイク保持部１３は本発明に係るマイク保持部に相当し、マイク１４は本発明に係るマイクに相当する。
【００１５】
アーム部１１は、例えば使用者の首に掛けられる形状、詳細には例えば弧形状である。
本体部ケース１２は、アーム部１１に設けられており、詳細にはアーム部１１の一端部１１１に設けられており、後述する振動部を含む。
【００１６】
マイク保持部１３の一端部１３１は、アーム部１１の一端部１１１に設けられている。詳細にはマイク保持部１３の一端部１３１は、本体部ケース１２と接続されている。マイク保持部１３の他端部１３２には、マイク１４が設けられている。
【００１７】
マイク１４は、使用者の音声を入力する。例えば、マイク１４はアーム部１１が使用者の首に掛けられた状態のとき、使用者の口の近傍に位置するようにマイク保持部１３の他端部１３２に設けられている。
マイク保持部１３は、アーム部１１が使用者の首に掛けられた状態で使用者の視界内にマイクを保持し、本体部ケース１２内の振動部の振動に応じてマイク１４を振動させる。
【００１８】
イヤホン１５は、本体部ケース１２と接続されている。イヤホン１５は、無線装置２から出力された音声信号に応じた音波を発音する。イヤホン１５は使用者の耳に装着される。
コネクタ１０１は、本体部ケース１２と接続されている。
【００１９】
通知装置１は、図２および図３に示すように、本体部ケース１２内に、ブザー１２１、および振動部１２２を有する。
振動部１２２は、本発明に係る振動部に相当する。
【００２０】
ブザー１２１は、無線装置２の処理部２４２の制御により出力部２４４から出力された呼出音信号ｓ２４４１を、コネクタ２０１およびコネクタ１０１を介して受信し、その呼出音信号ｓ２４４１に応じて発音し使用者に通知する。
【００２１】
振動部１２２は、無線装置２の処理部２４２の制御により出力部２４４から出力された振動信号ｓ２４４２を、コネクタ２０１およびコネクタ１０１を介して受信し、受信結果である振動信号ｓ２４４２に応じて振動して、使用者に通知する。
【００２２】
振動部１２２は、詳細には、振動駆動部１２２１および振動発生部１２２２を有する。
振動駆動部１２２１は、振動信号ｓ２４４２に応じて振動発生部１２２２を駆動して振動させる。
例えば振動発生部１２２２は偏心錘であり、振動駆動部１２２１は振動信号ｓ２４４２に応じて偏心錘を回転させて振動させる。
【００２３】
マイク１４は、図３に示すように、例えば使用者の音声に応じて音声信号ｓ１４を生成し、本体部ケース１２、コネクタ１０１，２０１を介して入力部２４３に出力する。処理部２４２は音声信号ｓ１４に基づいて無線部２１に所定の通信処理を行わせる。
【００２４】
イヤホン１５は、図３に示すように、無線装置２の処理部２４２の制御により出力部２４４から出力された音声信号ｓ２４４３を、コネクタ２０１およびコネクタ１０１を介して受信し、その音声信号ｓ２４４３に応じて発音する。
【００２５】
図４は、図１に示した通知装置の使用形態を示す図である。
使用者ｕ３は、図４に示すように、通知装置１のアーム部１１を首に掛けられ状態で使用する。
本体部ケース１２内の振動部１２２は、図４に示すように、通知装置１のアーム部１１を使用者ｕ３の首ｕ３１に掛けられた状態で、使用者ｕ３が振動を感じやすい位置、例えば使用者ｕ３の胸部ｕ３２付近に位置するようにアーム部１１の一端部１１１に設けられており、振動信号ｓ２４４２に応じて振動する。
【００２６】
マイク保持部１３は、図４に示すように、アーム部１１の一端部１１１に設けられ、アーム部１１が使用者ｕ３の首ｕ３１に掛けられた状態で使用者ｕ３の視界内ｕ３３にマイク１４を保持し、振動部１２２の振動に応じてマイク１４を振動させる。
【００２７】
上述した構成の通知装置１の動作を、図１〜４を参照しながら説明する。
使用者ｕ３は、図４に示すように、振動部１２２が胸部ｕ３２付近に位置するようにアーム部１１を首ｕ３１に掛ける。この際、マイク１４が使用者ｕ３の視界内ｕ３３に位置するようにアーム部１１を首ｕ３１に掛ける。
【００２８】
無線装置２において、不図示の通信装置からの無線信号を、アンテナ２１１を介して無線部２１が受信すると、制御部２４の処理部２４２は、出力部２４４に、振動信号ｓ２４４２を、コネクタ２０１およびコネクタ１０１を介して出力させる。
【００２９】
振動部１２２において、振動駆動部１２２１では、受信した受信結果である振動信号ｓ２４４２に応じて振動発生部１２２２を駆動させて振動させ使用者ｕ３に通知する。使用者ｕ３は、振動を感じやすい胸部ｕ３２付近で振動部１２２が振動していることを感じ、無線装置２に着信があったことを感知する。
【００３０】
また、振動部１２２は、マイク保持部１３を介してマイク１４を振動させる。使用者ｕ３は、視界内ｕ３３でマイク１４の振動を視認することにより、視覚的に無線装置２に着信があったことを感知する。
【００３１】
以上説明したように、弧形状のアーム部１１と、アーム部１１が使用者ｕ３の首ｕ３１に掛けられた状態で使用者ｕ３の胸部ｕ３２付近に位置するようにアーム部１１の一端部１１１に設けられ、受信結果に応じた振動により通知する振動部１２２と、アーム部１１が使用者ｕ３の首ｕ３１に掛けられた状態で使用者ｕ３の音声を入力するマイク１４と、アーム部１１の一端部１１１に設けられ、アーム部１１が使用者ｕ３の首ｕ３１に掛けられた状態で使用者ｕ３の視界内ｕ３３にマイク１４を保持し、振動部１２２の振動に応じてマイク１４を振動させるマイク保持部１３とを設けたので、確実に受信結果を使用者ｕ３に通知することができる。
【００３２】
振動部１２２を、アーム部１１が使用者ｕ３の首ｕ３１に掛けられた状態で使用者ｕ３の胸部ｕ３２付近に位置するようにアーム部１１の一端部１１１に設けたので、例えば、騒音の激しい場所において呼出音（ブザー）が聞き取りにくい場合であっても、使用者ｕ３に受信結果を確実に通知することができる。
【００３３】
また、マイク保持部１３が、アーム部１１の一端部１１１に設けられアーム部１１が使用者ｕ３の首ｕ３１に掛けられた状態で使用者ｕ３の視界内ｕ３３にマイク１４を保持し、振動部１２２の振動に応じてマイク１４を振動させるので、使用者ｕ３に視覚的に受信結果を確実に通知することができる。
【００３４】
なお、本発明は本実施形態に限られるものではなく、任意好適な種々の変更が可能である。
本実施形態では、振動発生部としての偏心錘と、振動駆動部としての偏心錘を回転させるモータとで振動部を構成したが、この形態に限られるものではない。振動部は、振動信号に応じて使用者に通知するように振動し、また、マイク保持部を介してマイクを振動させることができればよい。
【００３５】
【発明の効果】
本発明によれば、確実に使用者に通知する通知装置を提供することができる。
【図面の簡単な説明】
【図１】図１は、本発明の一実施形態に係る通知装置を示す全体図である。
【図２】図２は、図１に示した通知装置および無線装置の機能ブロック図である。
【図３】図３は、図１に示した通知装置および無線装置の機能ブロック図である。
【図４】図４は、図１に示した通知装置の使用形態を示す図である。
【符号の説明】
１…通知装置、２…無線装置、１１…アーム部、１２…本体部ケース、１３…マイク保持部、１４…マイク、１５…イヤホン、２１…無線部、２２…表示部、２３…操作部、２４…制御部、１０１…コネクタ、１２１…ブザー、１２２…振動部、２０１…コネクタ、２１１…アンテナ、２４１…記憶部、２４２…処理部、２４３…入力部、２４４…出力部、１２２１…振動駆動部、１２２２…振動発生部。
【図１】
2004253962.tif 000003
【図２】
2004253962.tif 000004
【図３】
2004253962.tif 000005
【図４】
2004253962.tif 000006